(57)【要約】【課題】  通路の入隅や出隅あるいは階段等の手摺の角度勾配が変化する箇所に見栄え良く取り付けることができ、また、通路の入隅や出隅に設けられた柱や間柱等の補強部材に取り付けることが可能な手摺用ブラケットを提供すること。【解決手段】  通路の入隅に固定される入隅用アタッチメント２と、入隅用アタッチメント２に係合固定されるブラケット本体３と、ブラケット本体３の先端に設けられる自在継手４とを備えてなるようにする。【選択図】図１
2005336778.tif 000002
【特許請求の範囲】
【請求項１】
壁面等に係合固定されるブラケット本体と、
前記ブラケット本体の先端に設けられ、両端に手摺パイプを連結可能な連結部を有する自在継手とを備えてなることを特徴とする手摺用ブラケット。
【請求項２】
前記ブラケット本体を入隅又は出隅に固定するためのアタッチメントを備えてなることを特徴とする請求項１に記載の手摺用ブラケット。
【発明の詳細な説明】
【技術分野】
【０００１】
本発明は、自在継手を備えた手摺用ブラケットに関するものである。
【背景技術】
【０００２】
従来より、住宅等の建物内の通路に手摺５０を取り付ける際、図５に示すように、例えば階段等の手摺５０の角度勾配が変化する箇所においては、両端部が所定角度で折り曲げられた継手５１を予め用意しておき、継手５１の両端に直線状の手摺パイプ５２を連結するようにしていた。このような両端部が所定角度で折り曲げられた継手５１としては、例えば、特許文献１に開示されるようなものがある。
【０００３】
ここで、手摺パイプ５２は手摺用ブラケット５３を用いて壁面等に固定されるのであるが、上記のような継手５１付近においては、手摺５０の耐荷重性を確保するために、継手５１から手摺用ブラケット５３までの距離Ａを、例えば１００ｍｍ以内とし、且つ継手５１の両側に手摺用ブラケット５３を取り付けるようにしていた。
【０００４】
また、上記階段付近以外にも、通路の入隅や出隅等、手摺５０の角度勾配が変化する箇所においては、上記と同様の構成をとるものであった。
【特許文献１】特開２００２−１１５３８１公報
【発明の開示】
【発明が解決しようとする課題】
【０００５】
しかしながら、上記従来の手摺用ブラケット５３においては、継手５１の両側に近接して２つの手摺用ブラケット５３を取り付けることになり、外観上好ましいものではなかった。
【０００６】
また、通路の入隅や出隅等においては、一般的に柱が配設されていることが多いのであるが、従来の手摺用ブラケット５３では上記柱からはずれた壁板部分に取り付けなければならないことがあり、その際、壁板部分に合板やベース材等による補強を必要とする場合があった。
【０００７】
本発明は、かかる事由に鑑みてなしたもので、その目的とするところは、通路の入隅や出隅あるいは階段等の手摺の角度勾配が変化する箇所に見栄え良く取り付けることができ、また、通路の入隅や出隅に設けられた柱や間柱等の補強部材に取り付けることが可能な手摺用ブラケットを提供することにある。
【課題を解決するための手段】
【０００８】
上記課題を解決するために、本発明では、第１には、壁面等に係合固定されるブラケット本体と、前記ブラケット本体の先端に設けられ、両端に手摺パイプを連結可能な連結部を有する自在継手とを備えてなるようにする。
【０００９】
第２には、前記ブラケット本体を入隅又は出隅に固定するためのアタッチメントを備えてなるようにする。
【発明の効果】
【００１０】
上記本発明の第１の手摺用ブラケットでは、ブラケット本体の先端に、両端に手摺パイプを連結可能な連結部を有する自在継手が設けられているので、手摺の角度勾配が変化する箇所において、ブラケット本体を複数取り付ける必要がないので、外観を良好にすることができる。
【００１１】
上記本発明の第２の手摺用ブラケットでは、上記第１の手摺用ブラケットと同様の効果が得られ、また、入隅又は出隅に固定されるアタッチメントを備えているので、入隅又は出隅に容易に手摺用ブラケットを取り付けることができ、施工性が向上する。
【００１２】
また、通路の入隅や出隅に設けられた柱や間柱等を利用して手摺用ブラケットを取り付けることが可能となり、壁板部分に合板やベース材等による補強を必要としない。
【発明を実施するための最良の形態】
【００１３】
本発明の実施形態における手摺用ブラケット１について、図１〜４に基づいて説明する。本実施形態における手摺用ブラケット１は、図１、３に示すように、通路４０の入隅１０に固定される入隅用アタッチメント２と、入隅用アタッチメント２に係合固定されるブラケット本体３と、ブラケット本体３の先端に設けられる自在継手４とを備えている。
【００１４】
入隅用アタッチメント２は、後部側に入隅１０に当接するように略９０度にカットされた突出部２ａが設けられており、また、前部側にブラケット本体３を係合するための凸状の係合部２ｂが設けられている。
【００１５】
ブラケット本体３は、継手取付部３ａ、腕部３ｂ、固定部３ｃからなる。固定部３ｃは、裏面に係合部２ｂに係合される凹部（図示せず）を備えるとともに、４隅にネジ孔３ｄが穿設されている。ブラケット本体３を係合部２ｂに係合した状態で、ネジ孔３ｄから釘や木ネジ等を打ち込んで入隅用アタッチメント２に着脱自在に取り付けるようになっている。また、継手取付部３ａにも４隅にネジ孔３ｅが穿設されており、ネジ孔３ｅから釘や木ネジ等を打ち込んで自在継手４を着脱自在に取り付けるようになっている。
【００１６】
自在継手４は、本体部４ａと、本体部４ａの両側に備えられた連結部４ｂから構成される。連結部４ｂには手摺パイプ２０の端部が着脱自在に取り付けられ、手摺パイプ２０を角度自在に連結することができる。
【００１７】
ここで、本体部４ａと連結部４ｂとの接続方法については、特に限定されないが、例えば、一方の端部に球体を設けておき、他方の端部にこの球体を角度自在に受ける凹部を設けておく方法が挙げられる。また、連結部４ｂと手摺パイプ２０の端部との接続方法については、特に限定されないが、例えば、互いに螺合可能な連結具を、連結部４ｂと手摺パイプ２０の端部にそれぞれ取り付けておき、それらを螺着する方法が挙げられる。
【００１８】
また、通路の出隅１１においては、図２に示すような出隅用アタッチメント５を入隅用アタッチメント２の代わりに用いることができる。ここで、出隅用アタッチメント５の後部側には、出隅１１に当接するように内側に略９０度にカットされた窪み部５ａが設けられており、また、前部側にはブラケット本体３を係合するための凸状の係合部５ｂが設けられている。
【００１９】
次に、本実施形態における手摺用ブラケット１を用いて、通路４０に手摺２１を設置する手順の一例について説明する。
【００２０】
まず、入隅１０及び出隅１１に、それぞれ入隅用アタッチメント２及び出隅用アタッチメント５を取り付ける。この際、入隅１０においては柱３０に隣接して設けられた間柱３１に、出隅１１においては柱３０に、それぞれ壁板３２を介して釘や木ネジ等を打ち込んで取り付ける。次いで、ブラケット本体３を係合部２ｂ及び係合部５ｂにそれぞれ係合させた状態で、ネジ孔３ｄから釘や木ネジ等を打ち込んで取り付ける。そして、自在継手４をブラケット本体３の継手取付部３ａに取り付け、手摺パイプ２０を連結部４ｂに接続する。
【００２１】
また、本実施形態における手摺用ブラケット１は、図４に示すように、階段４１において手摺２１の角度勾配が変化する箇所においても好適に用いることができる。ここでは、柱３０にブラケット本体３の固定部３ｃが直接取り付けられている。
【００２２】
以上のように、本実施形態における手摺用ブラケット１は、ブラケット本体３の先端に自在継手４が設けられているので、手摺２１の角度勾配が変化する箇所において、ブラケット本体３を複数取り付ける必要がないので、外観を良好にすることができる。
【００２３】
また、入隅１０及び出隅１１に固定される入隅用アタッチメント２及び出隅用アタッチメント５を備えているので、入隅１０や出隅１１に容易に手摺用ブラケット１を取り付けることができ、施工性が向上する
また、通路４０の入隅１０や出隅１１に設けられた柱３０や間柱３１等の補強部材に取り付けることが可能となり、壁板３２部分に合板やベース材等による補強を必要としない。
【００２４】
なお、本実施形態においてはブラケット本体３の継手取付部３ａに釘や木ネジ等を用いて自在継手４を着脱自在に取り付けるようにしているが、これに限定されるものではなく、例えば、ブラケット本体３と自在継手４とが一体的に形成されたものであってもよい。
【図面の簡単な説明】
【００２５】
【図１】本発明の実施形態における入隅用アタッチメント２を備えた手摺用ブラケット１の分解斜視図である。
【図２】同実施形態における出隅用アタッチメント５を備えた手摺用ブラケット１の分解斜視図である。
【図３】同実施形態における手摺用ブラケット１を用いて手摺２１を通路４０に取り付けた場合の上面図である。
【図４】同実施形態における手摺用ブラケット１を用いて手摺２１を階段４１に取り付けた場合の平面図である。
【図５】従来の手摺５０の取り付け構造の一例を示す平面図である。
【符号の説明】
【００２６】
１  手摺用ブラケット
２  入隅用アタッチメント
３  ブラケット本体
４  自在継手
５  出隅用アタッチメント
【図１】
2005336778.tif 000003
【図２】
2005336778.tif 000004
【図３】
2005336778.tif 000005
【図４】
2005336778.tif 000006
【図５】
2005336778.tif 000007